(57)【特許請求の範囲】
【請求項１】
建物の一階床面に設けられる共に、当該一階床面の板厚方向に貫通された給気口と、
基礎立ち上がり部に設けられると共に、当該基礎立ち上がり部の板厚方向に貫通されかつ前記一階床面、当該基礎立ち上がり部及び地盤により囲まれた床下空間内の空気を屋外へ強制的に排出する強制排気手段が設けられた排気口と、
前記一階床面上に配置されると共に、建物平面視で前記給気口と前記排気口との間に配置され、少なくとも浴室を含みかつ湿度が高くなる高湿空間部と、
を有する床下換気システム。
【請求項２】
前記給気口は、前記一階床面の角部に設けられている、
請求項１記載の床下換気システム。
【請求項３】
前記床下空間に湿度を計測できるセンサが設けられると共に、当該センサによって計測された湿度が設定値より高い場合には前記強制排気手段を作動させ、当該湿度が当該設定値より低い場合には前記強制排気手段を停止させる制御装置が設けられている、
請求項１又は請求項２に記載の床下換気システム。
【請求項４】
前記センサは、建物平面視で前記給気口とこれに近接する前記一階床面の外縁との間に設けられている、
請求項３記載の床下換気システム。
【請求項５】
前記給気口には、建物平面視における開口面積を調整可能な開口可変機構が設けられている、
請求項２〜請求項４のいずれか一項に記載の床下換気システム。
【請求項６】
前記制御装置は、前記センサによって計測された湿度が設定値より高い場合には、前記給気口の開口面積を大きくするように前記開口可変機構を作動させる制御手段とされている、
請求項３及び請求項４の少なくとも一方を引用する請求項５記載の床下換気システム。
【請求項７】
前記給気口は、前記一階床面における前記基礎立ち上がり部によって仕切られた複数の範囲にそれぞれ設けられている、
請求項１〜請求項６のいずれか一項に記載の床下換気システム。
【発明の詳細な説明】
【技術分野】
【０００１】
本発明は、床下換気システムに関する。
【背景技術】
【０００２】
下記特許文献１には、多室用換気装置が開示されている。この多室用換気装置には、送風機が設けられていると共に、複数の部屋にそれぞれ設けられた吸込口が送風機に接続されている。吸込口の内部には、開閉可能な電動ダンパが設けられており、この電動ダンパを作動させることで吸込み風量を調整することができる。したがって、送風機から吸込口までの距離が異なることで生じる通気抵抗の差によって部屋ごとに吸込み風量が変化する場合でも、電動ダンパによる吸込み風量の調整によって各部屋における最適風量を確保することができる。
【先行技術文献】
【特許文献】
【０００３】
【特許文献１】特開平１−２３９３３０号公報
【発明の概要】
【発明が解決しようとする課題】
【０００４】
しかしながら、上記特許文献１に開示された床下換気システムでは、部屋の床下空間における換気については考慮されていない。一般的に、浴室やそれに付随する脱衣所といった他の部屋より高湿となる高湿空間部の床下空間では、浴室等からの湿気によって湿度の高い空気が滞留する可能性がある。このため、床下空間の上方に設けられると共に一階床面を構成する面材にカビの発生等の悪影響を及ぼす可能性がある。                    
【０００５】
本発明は上記問題を考慮し、高湿空間部の下部に滞留しやすい湿度の高い空気を効率よく排出させることができる床下換気システムを得ることが目的である。
【課題を解決するための手段】
【０００６】
第１の態様に係る床下換気システムは、建物の一階床面に設けられる共に、当該一階床面の板厚方向に貫通された給気口と、基礎立ち上がり部に設けられると共に、当該基礎立ち上がり部の板厚方向に貫通されかつ前記一階床面、当該基礎立ち上がり部及び地盤により囲まれた床下空間内の空気を屋外へ強制的に排出する強制排気手段が設けられた排気口と、前記一階床面上に配置されると共に、建物平面視で前記給気口と前記排気口との間に配置され、少なくとも浴室を含みかつ湿度が高くなる高湿空間部と、を有している。
【０００７】
第２の態様に係る床下換気システムは、第１の態様に係る床下換気システムにおいて、前記給気口は、前記一階床面の角部に設けられている。
【０００８】
第３の態様に係る床下換気システムは、第１又は第２の態様に係る床下換気システムにおいて、前記床下空間に湿度を計測できるセンサが設けられると共に、当該センサによって計測された湿度が設定値より高い場合には前記強制排気手段を作動させ、当該湿度が当該設定値より低い場合には前記強制排気手段を停止させる制御装置が設けられている。
【０００９】
第４の態様に係る床下換気システムは、第３の態様に係る床下換気システムにおいて、前記センサは、建物平面視で前記給気口とこれに近接する前記一階床面の外縁との間に設けられている。
【００１０】
第５の態様に係る床下換気システムは、第２の態様〜第４の態様のいずれか一つの態様に係る床下換気システムにおいて、前記給気口には、建物平面視における開口面積を調整可能な開口可変機構が設けられている。
【００１１】
第６の態様に係る床下換気システムは、第３及び第４の少なくとも一方を引用する第５の態様に係る床下換気システムにおいて、前記制御装置は、前記センサによって計測された湿度が設定値より高い場合には、前記給気口の開口面積を大きくするように前記開口可変機構を作動させる制御手段とされている。
【００１２】
第７の態様に係る床下換気システムは、第１の態様〜第６の態様のいずれか一つの態様に係る床下換気システムにおいて、前記給気口は、前記一階床面における前記基礎立ち上がり部によって仕切られた複数の範囲にそれぞれ設けられている。
【００１３】
第１の態様によれば、基礎立ち上がり部に設けられた排気口の強制排気手段の作動によって、床下空間内の空気が屋外へと排出される。これによって、床下空間内が負圧となるため、一階居室の空気が一階床面に形成された給気口から床下空間内へと流れる。そして、床下空間内へ流れた空気は排気口から屋外へと流れる。この際、建物平面視で給気口と排気口との間には高湿空間部が配置されていることから、床下空間における高湿空間部に対応した部分を通って空気が流れる。したがって、床下空間における高湿空間部に対応した部分に滞留する湿度の高い空気を屋外へと排出することが可能となる。
【００１４】
第３の態様によれば、センサによって計測された湿度が設定値より低い場合には、強制排気手段の作動を停止させる制御装置が設けられていることから、床下空間内の湿度が高くなく換気があまり必要ない場合に強制排気手段を作動させるエネルギ消費を抑制することができる。したがって、運転コストを抑制することができる。
【００１５】
第４の態様によれば、センサが建物平面視で給気口とこれに近接する一階床面の外縁との間に設けられていることから、給気口から床下空間に流れる空気にセンサが直接触れない構成となる。したがって、床下空間内の空気の湿度をより正確に計測することができる。
【００１６】
第２の態様によれば、給気口は、一階床面の角部に設けられていることから、床下空間における角部に空気が流れる。一般的に、床下空間における角部は、空気が流れ難いため、空気が滞留してよどむことがある。これに対し、本態様では、角部に空気が流れることから、角部ひいては床下空間内で空気が滞留するのを抑制することができる。
【００１７】
第５の態様によれば、給気口は、建物平面視における開口面積を調整可能な開口可変機構が設けられていることから、流入空気量を調整することが可能となる。すなわち、給気口を複数設けた場合、給気口から排気口までの距離が異なることで通気抵抗の差が生じるため、排気口に最も近い給気口からの流入空気量が多くなると共に、排気口から遠い給気口からの流入空気量が少なくなる。つまり、給気口ごとに流入空気量が変化する。したがって、流入空気量の多い給気口から排気口までの範囲が主に換気され、流入空気量の少ない給気口から排気口までの範囲の換気がされ難くなる。このため、流入空気量が多い給気口の開口面積を開口可変機構によって小さくし、流入空気量が少ない給気口の開口面積を開口可変機構によって大きくすることで、各給気口における流入空気量を同等にして換気をムラなく行うことができる。
【００１８】
第６の態様によれば、センサによって計測された湿度が設定値より高い場合には、給気口の開口面積が大きくされる。したがって、床下空間内に湿度の高い空気が発生した際に換気量を増やすことができるので、湿度の高い空気をより一層屋外へと排出することが可能となる。
【００１９】
第７の態様によれば、給気口は、一階床面における基礎立ち上がり部によって仕切られた複数の範囲にそれぞれ設けられていることから、それぞれの範囲内にも空気の流れが発生する。一般的に、基礎立ち上がり部によって区切られると、この仕切られた範囲内では空気が流れ難くなるため、空気が滞留してよどむことがある。これに対し、本態様では基礎立ち上がり部によって仕切られた複数の範囲にそれぞれ給気口が設けられていることから、それぞれの範囲内で空気の流れが発生する。これによって、床下空間に空気が滞留するのを抑制することができる。
【発明の効果】
【００２０】
以上説明したように、本発明に係る床下換気システムは、高湿空間部の下部に滞留しやすい湿度の高い空気を効率よく排出させることができるという優れた効果を有する。
【図面の簡単な説明】
【００２１】
【図１】第１実施形態に係る床下換気システムを有する建物を示す概略断面図である。
【図２】（Ａ）は第１実施形態に係る床下換気システムを有する建物の一階床面を示す平面図であり、（Ｂ）は（Ａ）に対して第１変形例を示す平面図であり、（Ｃ）は（Ａ）に対して第２変形例を示す平面図である。
【図３】第２実施形態に係る床下換気システムの給気口を示す分解斜視図である。
【図４】（Ａ）は第２実施形態に係る床下換気システムの開口可変機構を開状態にした斜視図であり、（Ｂ）は（Ａ）に対して閉状態にした斜視図である。
【図５】（Ａ）は第２実施形態に係る床下換気システムを有する建物の一階床面を示す平面図であり、（Ｂ）は（Ａ）に対して変形例を示す平面図である。
【図６】（Ａ）は第３実施形態に係る床下換気システムを有する建物の一階床面を示す平面図であり、（Ｂ）は（Ａ）においてＡ−Ａ線に沿って切断した状態を示す断面図である。
【発明を実施するための形態】
【００２２】
（第１実施形態）
以下、図１、２を用いて、本発明に係る床下換気システムの第１実施形態について説明する。
【００２３】
図１に示されるように、建物１０は、基礎１２と、基礎１２の上方に設けられた居室部１４と、を有している。この基礎１２は、いわゆるべた基礎とされており、地盤１８内にコンクリートを打設することにより構成されている。
【００２４】
基礎１２の構造についてより具体的に説明すると、地盤表面２０に対して地盤１８を所定深さ掘削したところに図示しない砕石が敷き詰められ、更にその上に捨てコンクリート（均しコンクリート）が打設されて地業がなされる。地業を終えた後、基礎配筋が行われてコンクリートが打設されることで、地盤１８に沿った平面状のベース部２２及びこのベース部２２に対して直交する方向で建物上下方向上側へと突出した基礎立ち上がり部２４が形成されている。
【００２５】
基礎立ち上がり部２４の建物内側面２６には、基礎断熱材２８が取り付けられている。この基礎断熱材２８は、一例として板状に形成された樹脂系断熱材によって構成されている。基礎断熱材２８は、上端部３０が基礎立ち上がり部２４の上端部３２に対応すると共に下端部３４がベース部２２の上面３８と当接するよう延設されている。
【００２６】
基礎立ち上がり部２４と地盤１８と居室部１４とで囲まれた床下空間４０には、防湿コンクリート４２が敷設されている。この防湿コンクリート４２は、床下空間４０内における地盤１８全体を覆うように敷設されている。
【００２７】
基礎立ち上がり部２４には、板厚方向に貫通された排気口４４が形成されている。この排気口４４は、一箇所にのみ設けられていると共に、床下空間４０における建物上下方向の略中央に形成されている。なお、この排気口４４の位置に対応して基礎断熱材２８にも貫通孔４６が形成されている。
【００２８】
排気口４４には、排出手段としての床下換気扇４８が設けられている。この床下換気扇４８は、内部に図示しないファンとモータが設けられており、床下空間４０内の空気を屋外へと排出するように作動する。なお、床下換気扇４８は、後述する制御装置５０に図示しない配線によって接続されている。
【００２９】
居室部１４の一階床面５２は、建物平面視で矩形状に形成されている（図２参照）。この一階床面５２の外縁に沿うように基礎立ち上がり部２４が設けられている。また、一階床面５２には、板厚方向に貫通された給気口５４が設けられている。
【００３０】
給気口５４の建物上側には、カバー５６が設けられている。このカバー５６は、建物平面視で給気口５４より大きい略板状に形成されていると共に、板厚方向に貫通された貫通孔５７（図３参照）が複数形成されている。これにより、給気口５４から床下空間４０へ物が落下するのを抑制しながら空気が通過することが可能とされている。
【００３１】
図２（Ａ）に示されるように、一階床面５２上には、高湿空間部５８が設けられている。この高湿空間部５８は、一階床面５２における一方の桁側の略中央に配置されている。また、高湿空間部５８は、浴室と脱衣所とが隣り合った構成とされており、他の居室と比べ高温かつ高湿となる。なお、図２（Ａ）では、給気口５４と高湿空間部５８との位置関係をわかり易くするためにカバー５６を省略して表現している。
【００３２】
給気口５４は、一階床面５２上に設けられた高湿空間部５８の近傍に設けられている。また、排気口４４は、一方の桁側に沿って設けられた基礎立ち上がり部２４における高湿空間部５８を中心とした給気口５４の反対側に設けられている。すなわち、給気口５４と排気口４４との間に高湿空間部５８が配置されている。換言すると、給気口５４と排気口４４とを結んだ仮想線Ｌ上に高湿空間部５８が配置されている。
【００３３】
床下空間４０内には、センサ６２が設けられている。このセンサ６２は、一例として建物平面視で給気口５４とこれに近接する一階床面５２の外縁との間に設けられており、床下空間４０内の空気中の湿度が計測可能とされている。なお、図２（Ａ）では、本発明の構成をわかり易くするために、センサ６２の大きさを誇張して表現している。
【００３４】
センサ６２は、制御装置５０に図示しない配線によって接続されている。具体的には、制御装置５０は、周知のＣＰＵ、ＲＯＭ、ＲＡＭ（いずれも不図示）などを備えたコンピュータを主体に構成されており、その入力側には上述したセンサ６２が図示しない配線により接続されている。一方、制御装置５０の出力側には、床下換気扇４８が図示しない配線により接続されている。
【００３５】
（第１実施形態の作用・効果）
次に、本実施形態の作用並びに効果を説明する。
【００３６】
本実施形態によれば、図１に示されるように、基礎立ち上がり部に設けられた給気口５４の床下換気扇４８の作動によって、床下空間４０内の空気が屋外へと排出される。これによって、床下空間４０内が負圧となるため、居室部１４内の空気が一階床面５２に形成された給気口５４から床下空間４０内へと流れる。そして、床下空間４０内へ流れた空気は排気口４４から屋外へと流れる。この際、図２（Ａ）に示されるように、建物平面視で給気口５４と排気口４４との間には高湿空間部５８が配置されていることから、床下空間４０における高湿空間部５８に対応した部分を通って空気が流れる。したがって、床下空間４０における高湿空間部５８に対応した部分に滞留する湿度の高い空気を屋外へと排出することが可能となる。これにより、高湿空間部５８の下部に滞留しやすい湿度の高い空気を効率よく排出させることができる。
【００３７】
また、センサ６２によって床下空間４０内の湿度が計測される。この計測結果が予め設定された設定値より高いと制御装置５０によって判断された場合には、床下換気扇４８を作動させるように床下換気扇４８に信号が出力される。この信号に基づいて床下換気扇４８が作動されている。一方、センサ６２の計測結果が予め設定された設定値より低いと制御装置５０によって判断された場合には、床下換気扇４８の作動を停止するように床下換気扇４８に信号が出力される。この信号に基づいて床下換気扇４８の作動が停止される。したがって、湿度が低く、換気があまり必要ない場合に床下換気扇４８を作動させるための電力消費を抑制することができる。これにより、運転コストを抑制することができる。
【００３８】
さらに、センサ６２が建物平面視で給気口５４とこれに近接する一階床面５２の外縁との間に設けられていることから、給気口５４から床下空間４０に流れる空気にセンサ６２が直接触れない構成となる。したがって、床下空間４０内の空気の湿度をより正確に計測することができる。
【００３９】
なお、本実施形態では、高湿空間部５８は、一階床面５２における一方の桁側の略中央に配置されているが、これに限らず、給気口５４と排気口４４との間に高湿空間部５８が配置されていれば高湿空間部５８は他の位置に配置されてもよい。すなわち、図２（Ｂ）に示される第１変形例のように、高湿空間部５８が一階床面５２の角部に配置されてもよく、また図２（Ｃ）に示される第２変形例のように、給気口５４と排気口４４との位置を変更して、高湿空間部５８を一方の桁側から建物外側へ突出するように配置しても良い。
【００４０】
（第２実施形態）
次に、図５を用いて、本発明に係る床下換気システムの第２実施形態について説明する。なお、前述した第１実施形態等と同一構成部分については、同一番号を付してその説明を省略する。
【００４１】
この第２実施形態に係る床下換気システムは、基本的な構成は第１実施形態と同様とされ、給気口６４が一階床面５２の角部に設けられている点に特徴がある。
【００４２】
すなわち、図５（Ａ）に示されるように、給気口６４が一階床面５２の角部に複数（本実施形態では３つ）設けられている。また、建物平面視で給気口６４とこれに近接する一階床面５２の外縁との間にはセンサ６２が設けられており、床下空間４０内の空気中の湿度が計測可能とされている。さらに、給気口６４が設けられた角部以外の角部に対応した基礎立ち上がり部２４には、排気口４４が設けられている。なお、図５（Ａ）、（Ｂ）では、本発明の構成をわかり易くするために、センサ６２の大きさを誇張して表現している。
【００４３】
給気口６４には、図３に示されるように、開口可変機構としてのルーバユニット６６と、ルーバユニット６６の建物上側に配置されたカバー５６とが設けられている。
【００４４】
ルーバユニット６６は、建物上下方向が開放された略直方体状に形成されたケース６８を有すると共に、このケース６８内に図４（Ａ）に示されるように複数（本実施形態では３枚）のルーバ７０が設けられている。このルーバ７０は、矩形板状に形成されていると共に、長手方向両端部に回動中心部７２が形成されている。この回動中心部７２はケース６８に回動自在に結合されている。また、３枚のルーバ７０は、それぞれリンクアーム７４によって連結されており、このリンクアーム７４を図示しない作動手段によってケース平面視における短手方向に沿って作動させることでそれぞれのルーバ７０における回動中心部７２を中心に長手方向を軸方向とする回動をさせることができる。したがって、ルーバ７０の短手方向を略建物上下方向に沿う方向にすることでケース６８における建物上下方向の開口面積ひいては給気口６４の開口面積を最大にしたり、図４（Ｂ）に示されるようにルーバ７０の短手方向を略水平にすることで給気口６４を全閉にしたりすることができる。つまり、給気口６４の開口面積を調整することが可能となる。
【００４５】
ルーバユニット６６は、図５（Ａ）に示されるように、制御装置６９で制御される。この制御装置６９の入力側には上述したセンサ６２が図示しない配線により接続されている。一方、制御装置６９の出力側には、床下換気扇４８及びルーバユニット６６の作動手段が図示しない配線により接続されている。
【００４６】
（第２実施形態の作用・効果）
次に、第２実施形態の作用並びに効果を説明する。
【００４７】
本実施形態によれば、第１実施形態と同様に、基礎立ち上がり部に設けられた給気口６４の床下換気扇４８の作動によって、床下空間４０内の空気が屋外へと排出される。これによって、床下空間４０内が負圧となるため、居室部１４内の空気が一階床面５２に形成された給気口６４から床下空間４０内へと流れる。そして、床下空間４０内へ流れた空気は排気口４４から屋外へと流れる。この際、図５（Ａ）に示されるように、建物平面視で給気口６４と排気口４４との間には高湿空間部５８が配置されていることから、床下空間４０における高湿空間部５８に対応した部分を通って空気が流れる。したがって、床下空間４０における高湿空間部５８に対応した部分に滞留する湿度の高い空気を屋外へと排出することが可能となる。これにより、高湿空間部５８の下部に滞留しやすい湿度の高い空気を効率よく排出させることができる。
【００４８】
また、センサ６２によって床下空間４０内の湿度が計測される。この計測結果が予め設定された設定値より高いと制御装置６９によって判断された場合には、床下換気扇４８を作動させるように床下換気扇４８に信号が出力される。この信号に基づいて床下換気扇４８が作動されている。一方、センサ６２の計測結果が予め設定された設定値より低いと制御装置６９によって判断された場合には、床下換気扇４８の作動を停止するように床下換気扇４８に信号が出力される。この信号に基づいて床下換気扇４８の作動が停止される。したがって、湿度が低く、換気があまり必要ない場合に床下換気扇４８を作動させるための電力消費を抑制することができる。これにより、運転コストを抑制することができる。
【００４９】
さらに、センサ６２が建物平面視で給気口６４とこれに近接する一階床面５２の外縁との間に設けられていることから、給気口６４から床下空間４０に流れる空気にセンサ６２が直接触れない構成となる。したがって、床下空間４０内の空気の湿度をより正確に計測することができる。
【００５０】
さらにまた、給気口６４は、一階床面５２の角部に設けられていることから、床下空間４０における角部に空気が流れる。一般的に、床下空間４０における角部は、空気が流れ難いため、空気が滞留してよどむことがある。これに対し、本実施形態では、角部に空気が流れることから、角部ひいては床下空間４０内で空気が滞留するのを抑制することができる。
【００５１】
また、給気口６４は、図３に示される建物平面視における開口面積が調整可能なルーバユニット６６が設けられていることから、流入空気量を調整することが可能となる。すなわち、給気口６４を複数設けた場合、給気口６４から排気口４４までの距離が異なることで通気抵抗の差が生じるため、排気口４４に最も近い給気口６４からの流入空気量が多くなると共に、排気口４４から遠い給気口６４からの流入空気量が少なくなる。つまり、給気口６４ごとに流入空気量が変化する。したがって、流入空気量の多い給気口６４から排気口４４までの範囲が主に換気され、流入空気量の少ない給気口６４から排気口４４までの範囲の換気がされ難くなる。このため、流入空気量が多い給気口６４の開口面積をルーバユニット６６によって小さくし、流入空気量が少ない給気口６４の開口面積をルーバユニット６６によって大きくすることで、各給気口６４における流入空気量を同等にして換気をムラなく行うことができる。
【００５２】
さらに、センサ６２によって計測された湿度が設定値より高いと制御装置６９によって判断された場合には、ルーバユニット６６のルーバ７０を作動させるようにルーバユニット６６に信号が出力されて、給気口６４の開口面積が大きくされる。したがって、床下空間４０内に湿度の高い空気が発生した際に換気量を増やすことができるので、湿度の高い空気をより一層屋外へと排出することが可能となる。
【００５３】
さらにまた、センサ６２が建物平面視で給気口６４と一階床面５２の外縁との間に設けられていることで、給気口６４に近い位置の湿度を計測することができる。つまり、給気口６４が複数設けられた場合、給気口６４と同様に複数設けられたセンサ６２のうち最も湿度を高く計測したセンサ６２に近接する給気口６４を制御装置６９が検出して、当該給気口６４の開口面積を大きくするよう制御装置６９からルーバユニット６６の作動手段へ信号が出力される。これにより、最も湿度を高く計測したセンサ６２の近傍の給気口６４の開口面積を大きくすることで、湿度が高い箇所の換気量を増やすことができる。これにより、効率よく湿度の高い空気を屋外へと排出することが可能となる。
【００５４】
なお、本実施形態では、給気口６４が一階床面５２の角部に３つ設けられている構成とされているが、これに限らず、給気口６４が高湿空間部５８の位置及び一階床面５２の形状に合わせて２つや３つ以上設けられた構成としてもよい。一例として、図５（Ｂ）に示されるように、建物平面視でＬ字状に形成された一階床面７６において、排気口４４が設けられた角部以外の角部に４つ給気口６４を設けた構成としてもよい。
【００５５】
また、上述した第１、第２実施形態では、床下空間４０内の湿度が設定値より低い場合に床下換気扇４８を停止する構成とされているが、これに限らず、設定値を複数設けて湿度がある設定値以上ならば床下換気扇４８のモータ回転数を上昇させて換気量を増やす等の構成としてもよい。
【００５６】
（第３実施形態）
次に、図６を用いて、本発明に係る床下換気システムの第３実施形態について説明する。なお、前述した第１実施形態等と同一構成部分については、同一番号を付してその説明を省略する。
【００５７】
この第３実施形態に係る床下換気システムは、基本的な構成は第１実施形態と同様とされ、一階床面７８における基礎立ち上がり部８０、８２によって仕切られた範囲Ａ１、Ａ２、Ａ３にそれぞれ給気口５４が設けられている点に特徴がある。
【００５８】
すなわち、図６（Ａ）に示されるように、一階床面７８の建物下側には、外縁に沿って基礎立ち上がり部２４が設けられている。この基礎立ち上がり部２４の略中央部には、妻方向に沿って延設された２つの基礎立ち上がり部８０、８２が間隔を空けて設けられている。したがって、一階床面７８は、建物平面視で基礎立ち上がり部２４、８０、８２によって複数の範囲に区切られている。具体的には、基礎立ち上がり部２４と基礎立ち上がり部８０とによって囲まれた範囲Ａ１と、範囲Ａ１の反対側に位置し基礎立ち上がり部２４と基礎立ち上がり部８２とによって囲まれた範囲Ａ２と、範囲Ａ１と範囲Ａ２との間に位置し基礎立ち上がり部２４と基礎立ち上がり部８０と基礎立ち上がり部８２とによって囲まれた範囲Ａ３とに区切られる。
【００５９】
一階床面７８と基礎立ち上がり部２４、８０、８２との間には、図示しない通気用隙間が設けられている。また、基礎立ち上がり部８０、８２には、長手方向略中央部にそれぞれ人道口８４が形成されている（図６（Ｂ）参照）。この人道口８４は、基礎立ち上がり部８０、８２の上端部から建物下側へ略Ｕ字状に切り欠かれたように形成されている。
【００６０】
一階床面７８の範囲Ａ１における範囲Ａ２と反対側の角部には、それぞれ給気口５４が設けられている。また、一階床面７８の範囲Ａ２における排気口４４が設けられた角部と反対側の角部には、給気口５４が設けられている。さらに、一階床面７８の範囲Ａ３における排気口４４が設けられた一方の桁側と反対側の桁側には、給気口５４が設けられている。つまり、一階床面７８における基礎立ち上がり部８０によって仕切られた範囲Ａ１、Ａ２、Ａ３にそれぞれ給気口５４が設けられている。
【００６１】
床下空間４０内には、センサ６２が設けられている。このセンサ６２は、一例として建物平面視で給気口５４とこれに近接する一階床面５２の外縁との間に設けられており、床下空間４０内の空気中の湿度が計測可能とされている。なお、図６（Ａ）では、本発明の構成をわかり易くするために、センサ６２の大きさを誇張して表現している。また、センサ６２は、制御装置５０に図示しない配線によって接続されている。制御装置５０の出力側には、床下換気扇４８が図示しない配線により接続されている。
【００６２】
（第３実施形態の作用・効果）
次に、第３実施形態の作用並びに効果を説明する。
【００６３】
本実施形態によれば、第１実施形態と同様に、基礎立ち上がり部に設けられた給気口５４の床下換気扇４８の作動によって、床下空間４０内の空気が屋外へと排出される。これによって、床下空間４０内が負圧となるため、居室部１４内の空気が一階床面５２に形成された給気口５４から床下空間４０内へと流れる。そして、床下空間４０内へ流れた空気は排気口４４から屋外へと流れる。この際、図６（Ａ）に示されるように、建物平面視で給気口５４と排気口４４との間には高湿空間部５８が配置されていることから、床下空間４０における高湿空間部５８に対応した部分を通って空気が流れる。したがって、床下空間４０における高湿空間部５８に対応した部分に滞留する湿度の高い空気を屋外へと排出することが可能となる。これにより、高湿空間部５８の下部に滞留しやすい湿度の高い空気を効率よく排出させることができる。
【００６４】
また、センサ６２によって床下空間４０内の湿度が計測される。この計測結果が予め設定された設定値より高いと制御装置５０によって判断された場合には、床下換気扇４８を作動させるように床下換気扇４８に信号が出力される。この信号に基づいて床下換気扇４８が作動されている。一方、センサ６２の計測結果が予め設定された設定値より低いと制御装置５０によって判断された場合には、床下換気扇４８の作動を停止するように床下換気扇４８に信号が出力される。この信号に基づいて床下換気扇４８の作動が停止される。したがって、湿度が低く、換気があまり必要ない場合に床下換気扇４８を作動させるための電力消費を抑制することができる。これにより、運転コストを抑制することができる。
【００６５】
さらに、センサ６２が建物平面視で給気口５４とこれに近接する一階床面５２の外縁との間に設けられていることから、給気口５４から床下空間４０に流れる空気にセンサ６２が直接触れない構成となる。したがって、床下空間４０内の空気の湿度をより正確に計測することができる。
【００６６】
さらにまた、排気口４４は、一階床面７８における基礎立ち上がり部２４、８０、８２によって仕切られた複数の範囲Ａ１、Ａ２、Ａ３にそれぞれ設けられていることから、それぞれの範囲Ａ１、Ａ２、Ａ３内にも空気の流れが発生する。一般的に、基礎立ち上がり部２４、８０、８２によって区切られると、この仕切られた範囲Ａ１、Ａ２、Ａ３内では空気が流れ難くなるため、空気が滞留してよどむことがある。これに対し、本実施形態では、基礎立ち上がり部２４、８０、８２によって仕切られた複数の範囲Ａ１、Ａ２、Ａ３にそれぞれ給気口５４が設けられていることから、それぞれの範囲Ａ１、Ａ２、Ａ３内で空気の流れが発生する。これによって、床下空間４０に空気が滞留するのを抑制することができる。
【００６７】
なお、本実施形態では、一階床面７８の板厚方向に貫通された給気口５４が設けられた構成とされているが、これに限らず、給気口５４を第２実施形態と同様にルーバユニット６６が設けられた給気口６４に換えた構成としてもよい。また、センサ６２及び制御装置６９を設けてこのルーバユニット６６や床下換気扇４８を制御する構成としてもよい。
【００６８】
以上、本発明の実施形態について説明したが、本発明は、上記に限定されるものでなく、その主旨を逸脱しない範囲内において上記以外にも種々変形して実施することが可能であることは勿論である。
【符号の説明】
【００６９】
１０   建物
１８   地盤
２４   基礎立ち上がり部
４０   床下空間
４４   排気口
４８   床下換気扇（強制排気手段）
５０   制御装置
５２   一階床面
５４   給気口
５８   高湿空間部
６２   センサ
６４   給気口
６６   ルーバユニット（開口可変機構）
６９   制御装置
７６   一階床面
７８   一階床面
８０   基礎立ち上がり部
８２   基礎立ち上がり部
Ａ１   範囲
Ａ２   範囲
Ａ３   範囲
【図１】
0006412829.tif 000002
【図２】
0006412829.tif 000003
【図３】
0006412829.tif 000004
【図４】
0006412829.tif 000005
【図５】
0006412829.tif 000006
【図６】
0006412829.tif 000007